(57)【要約】【課題】絵画を制作する手順を教授する。【解決手段】読み出した画像を絵画風画像に変換し（ステップＳ２）、保存する（ステップＳ３）。保存した絵画風変換画像から、色成分を抽出する（ステップＳ４）。この色成分の抽出に際しては、シルクスクリーン画又は版画で絵画を作成する場合と同様に、当該絵画風変換画像において同一色の領域を抽出する。しかる後に、これら抽出した同一色のみ領域からなる複数の版（版の画像を表す画像データ）を作成する。引き続き、色を出す順序を決定する（ステップＳ５）。この決定した色の順序から、第１色（ステップＳ６）。第２色（ステップＳ７）・・・最終色を表示バッファに書き込んで（ステップＳｎ）処理を終了する。したがって、ユーザは液晶表示パネル上で、各色画像のスライドショー表示を観賞することができ、これによりシルクスクリーン画や版画で絵画を制作する手順を知ることができる。【選択図】図３
2012208748.tif 000002
【特許請求の範囲】
【請求項１】
撮影により取得された撮影画像を、絵画風画像に変換する画像変換手段と、
前記画像変換手段により変換された絵画風画像から、同一色の領域で構成される色成分毎の画像を抽出する抽出手段と、
前記抽出手段により抽出された色成分毎の画像を所定の順序で表示する表示手段と、
を備えることを特徴とする画像変換装置。
【請求項２】
前記画像変換手段は、前記撮影画像をシルクスクリーン画又は版画を模した絵画風画像に変換することを特徴とする請求項１記載の画像変換装置。
【請求項３】
特定の作家がシルクスクリーン画又は版画を制作する際の制作順序を示す情報を記憶した記憶手段を備え、
前記表示手段は、前記記憶手段に記憶されている前記情報に基づく順序で、前記色成分毎の画像を表示することを特徴とする請求項１又は２記載の画像変換装置。
【請求項４】
画像変換装置が有するコンピュータを、
撮影により取得された撮影画像を、絵画風画像に変換する画像変換手段と、
前記画像変換手段により変換された絵画風画像から、同一色の領域で構成される色成分毎の画像を抽出する抽出手段と、
前記抽出手段により抽出された色成分毎の画像を所定の順序で表示する表示手段と、
して機能させることを特徴とするプログラム。
【請求項５】
撮影により取得された撮影画像を、絵画風画像に変換する画像変換ステップと、
前記画像変換ステップで変換された絵画風画像から、同一色の領域で構成される色成分毎の画像を抽出する抽出ステップと、
前記抽出ステップにより抽出された色成分毎の画像を所定の順序で表示する表示ステップと、
を含むことを特徴とする画像変換方法。
【発明の詳細な説明】
【技術分野】
【０００１】
本発明は、撮影された画像を絵画風の画像に変換する画像変換装置、画像変換プログラム及び画像変換方法に関するものである。
【背景技術】
【０００２】
従来、撮影された画像に基づき、画家の描いた絵画に見られる特徴を擬似的に再現した絵画風画像を作成する変換技術が提案されるに至っている（例えば、特許文献１参照）。したがって、デジタルカメラで撮影した画像を、前記変換技術を用いて油絵調、水彩画調、シルクスクリーン画調等の絵画風画像に変換することが可能である。
【先行技術文献】
【特許文献】
【０００３】
【特許文献１】特開２００４−２１３５９８号公報
【発明の概要】
【発明が解決しようとする課題】
【０００４】
ところで、絵画は、その種別に応じて様々な過程を経て、一つのまとまった絵として創作される。しかしながら、前記変換技術にあっては、装置の内部において、撮影画像から特定の種別絵画に見られる特徴で絵画風画像に変換する。したがって、前記変換技術によっては、絵画が描かれる手順を教授されるものではないことから、ユーザにおいて絵画を制作する手順を知ることができたり、学習することのできる技術の出現が要請されていた。
【０００５】
この発明は、このような要請に鑑みてなされたものであり、絵画を制作する手順を教授する画像変換装置、画像変換プログラム及び画像変換方法を提供することを目的とする。
【課題を解決するための手段】
【０００６】
前記課題を解決するため、本発明に係る画像変換装置にあっては、撮影により取得された撮影画像を、絵画風画像に変換する画像変換手段と、前記画像変換手段により変換された絵画風画像から、同一色の領域で構成される色成分毎の画像を抽出する抽出手段と、前記抽出手段により抽出された色成分毎の画像を所定の順序で表示する表示手段とを備えることを特徴とする。また、本発明に係るプログラムにあっては、画像変換装置が有するコンピュータを前記各手段として機能させることを特徴とする。
【０００７】
また、本発明に係る画像変換方法にあっては、撮影により取得された撮影画像を、絵画風画像に変換する画像変換ステップと、前記画像変換ステップで変換された絵画風画像から、同一色の領域で構成される色成分毎の画像を抽出する抽出ステップと、前記抽出ステップにより抽出された色成分毎の画像を所定の順序で表示する表示ステップとを含むことを特徴とする。
【発明の効果】
【０００８】
本発明によれば、絵画を制作する手順を教授することができるので、ユーザにおいて絵画を制作する手順を知ることができたり、学習することが可能となる。
【図面の簡単な説明】
【０００９】
【図１】本発明の一実施形態に係る画像表示装置の外観を示す図である。
【図２】同画像表示装置の回路構成を示すブロック図である。
【図３】同画像表示装置の処理手順を示すフローチャートである。
【図４】本実施の形態における液晶表示パネルの表示遷移図である。
【発明を実施するための形態】
【００１０】
以下、本発明の実施形態について説明する。図１は、本発明を適用した画像表示装置１を示す外観図である。
【００１１】
画像表示装置１の正面には、本体２に保持された液晶表示パネル３によって構成される表示部が設けられている。この液晶表示パネル３にはタッチパネル５が一体的に構成されており、指でタッチすることにより操作可能となっている。本体２の前面上部右側には撮像素子８が設けられ、側面にはメモリカードスロット６が設けられている。更に、本体上部にＧＰＳアンテナ７、前面上部左側に人感センサ４が設けられている。
【００１２】
図２は、画像表示装置１の電気的構成を示したブロック図である。画像表示装置１は、ＣＰＵ（Ｃｅｎｔｒａｌ  Ｐｒｏｃｅｓｓｉｎｇ  Ｕｎｉｔ）１１と、ＣＰＵ１１に接続されたＲＯＭ（Ｒｅａｄ  Ｏｎｌｙ  Ｍｅｍｏｒｙ）１２、ＲＡＭ（Ｒａｎｄｏｍ  Ａｃｃｅｓｓ  ｍｅｍｏｒｙ）１３、内部メモリ１４を備え、ＲＯＭ１２には、ＣＰＵ１１に後述するフローチャートに示す動作を行わせるためのプログラムが記憶されている。
【００１３】
また、ＣＰＵ１１は、前記撮像素子８で撮像した顔を認識処理するための顔認識エンジン１００と、写真画像を絵画調の画像に変換する絵画変換エンジン２００を含んでいる。顔認識エンジン１００は、撮像素子８で撮像した画像の中に複数の顔が写っている場合、それぞれの顔を認識する能力を備えている。
【００１４】
絵画変換エンジン２００による絵画変換処理は、メモリカード６０に記憶されている表示対象の画像（撮影により取得された撮影画像）を、絵画が有する特徴を備えた絵画調画像、つまり特定の効果を与えた絵画調画像に変換し、変換後の絵画調画像を液晶表示パネル３に表示する処理である。
【００１５】
また、絵画調画像への変換に際して目標とする絵画の種類、つまり変換画調画像にする特徴（画調）が選択可能である。本実施の形態において、選択可能な画調は油絵調、水彩画調、シルクスクリーン画調、版画調、クレヨン画調、イラスト画調、点描画調、エアブラシ画調とする。しかし、これに限ることなく、ゴッホ調、モネ調、ピカソ調など、画家の特徴を加味した変換の選択を可能としても良い。また、別の画調のアルゴリズムを後述するメモリカード６０で提供するようにすることもできる。
【００１６】
ＲＡＭ１３は、ＣＰＵ１１が必要に応じて種々のデータを一時的に記憶する作業用のメモリである。
【００１７】
内部メモリ１４は、ハードディスク又はフラッシュメモリによる大容量不揮発性メモリであり、後述するフォルダが形成されて多数の画像を保存可能となっている。
【００１８】
表示制御部１６は、表示バッファを備え、ＣＰＵ１１から供給される表示用の画像データを表示バッファに書き込んだ後、この表示バッファに書き込んだバッファデータを液晶表示パネル３に送信して駆動する駆動することにより、画像や各種メニューを液晶表示パネル３に表示させる。
【００１９】
キー入力部制御部１７はＣＰＵ１１の制御に基づいてタッチパネル５の操作信号を入力するものである。
【００２０】
メモリカードインターフェース１８は、メモリカードスロット６に着脱自在に装着された各種のメモリカード６０と、ＣＰＵ１１との間におけるデータの入出力を制御する入出力インターフェースである。
【００２１】
撮像制御部１９は、撮像素子８を駆動して被写体の画像を取り込む制御を行う。ベイヤーデータで取り込まれた画像データはＹＵＶ及びＲＧＢデータに変換後、ＪＰＥＧデータに圧縮して内部メモリ１４又はメモリカード６０に記録される。
【００２２】
ＧＰＳ制御部２０は、ＧＰＳアンテナ７で受信した情報を元に位置情報を取得する。これにより、画像表示装置１の現在位置を知ることができる。
【００２３】
人感センサ４はＣＰＵ１１に接続され、近くに人がいるかどうかを検知するものである。従って、近くに人がいない状態が所定時間以上続くと自動的に電源を切って節電を図る（オートパワーオフ）。
【００２４】
通信制御部３０は、電話回線３１若しくは無線ＬＡＮ３２を経由してメールの送受信を含む通信制御を行う。
【００２５】
３３はメール送受信に使用するアドレス帳である。実際は内部メモリ１４内に設けられる。
【００２６】
４０はネットワークを介して接続されるバックアップサーバーであり、自動的に若しくは手動指示により内部メモリ１４に記録されたデータのバックアップを行う。
５０は配信コンテンツサーバーであり、多数のコンテンツや画像を有しており、ネットワークを介して画像表示装置１へデータを配信することができる。
７０はパーソナルコンピュータであり、無線ＬＡＮ３２等で通信制御部３０を介して画像表示装置１と接続でき、画像表示装置１では設定できない複雑な設定等をすることができる。
８０は電源制御部で、電源プラグ８１を介してＡＣ電源を取り入れ、直流に変換して各部に電力を供給する。前述したオートパワーオフの制御も行う。
【００２７】
以上の構成に係る本実施の形態において、画像表示装置１はＣＰＵ１１がＲＯＭ１２に格納されているプログラムに従って処理を実行することにより、図３のフローチャートに示す本実施の形態に係る画像変換表示処理を実行する。
【００２８】
先ずＣＰＵ１１は、保存領域である内部メモリ１４又はメモリカード６０から、撮影された画像であって絵画変換（画調変換）する画像を読み出す（ステップＳ１）。この画像の読み出しに際しては、例えば内部メモリ１４又はメモリカード６０に記憶されている撮影画像のサムネイルを液晶表示パネル３に表示し、タッチにより選択されたサムネイルに対応する画像を読み出す。これにより、ユーザは、所望の画像を絵画変換する画像として、選択することができる。
【００２９】
次に、この読み出した画像を絵画風画像に変換する（ステップＳ２）。すなわち、本実施の形態においては、前述のように選択可能な画調は油絵調、水彩画調、シルクスクリーン画調、版画調、クレヨン画調、イラスト画調、点描画調、エアブラシ画調の８種類としている。そして、前記ステップＳ１で読み出された画像を、これら８種の画調の中から、予めユーザにより選択された画調の絵画風画像に変換する。しかる後に、この変換した画像である絵画風変換画像を内部メモリ１４に保存する（ステップＳ３）。
【００３０】
なお、以下においては、ユーザによりシルクスクリーン画調又は版画調が予め選択されており、ステップＳ１で読み出した画像をシルクスクリーン画調又は版画調の絵画風画像に変換する場合について説明する。
【００３１】
すなわち、前記ステップＳ３で内部メモリ１４に保存したシルクスクリーン画調又は版画調の絵画風変換画像から、色成分を抽出する（ステップＳ４）。この色成分の抽出に際しては、シルクスクリーン画又は版画で絵画を作成する場合と同様に、当該絵画風変換画像において同一色の領域を抽出する。しかる後に、これら抽出した同一色のみの領域からなる複数の版（版の画像を表す画像データ）を作成する。
【００３２】
引き続き、色を出す順序を決定する（ステップＳ５）。ここで、色を出す順序とは、シルクスクリーン画又は版画を作成する際に、刷る色の順序であり、この刷る色の順序は作家によって異なる。例えば、ある作家の場合には明るい色から刷っていき、他の作家の場合にはこれとは逆に暗い色から刷っていく。また、例えば、ある作家の場合には領域が少ない色から刷っていき、他の作家の場合にはこれとは逆に領域が多い暗い色から刷っていく。さらに、これら以外にも、当該絵画風変換画像の特徴等に応じて、刷る色の順序は作家毎に異なる。
【００３３】
このため、ＲＯＭ１２には、予め特定の作家の刷る色の順序に従って色の順序を決定するアルゴリズムが記憶されている。そして、ステップＳ５ではこのアルゴリズムに基づき、ステップＳ４で抽出した色成分毎に順序を決定する。したがって、後述する図４に示すように、例えば４色の色成分が抽出されたとすると、アルゴリズムに基づき第１色（第１刷の色）から最終色（第４刷の色）までの４色の順序が決定されることとなる。また、これよりも遙かに使用色数が多く、ステップＳ４で当該絵画風変換画像から例えば１５色の色成分が抽出されたとすると、アルゴリズムに基づき第１色（第１刷の色）から最終色（第１５刷の色）までの色の順序が決定されることとなる。
【００３４】
次に、この決定した色の順序から、第１色を表示制御部１６が有する表示バッファに書き込む（ステップＳ６）。すると、表示制御部１６は、表示装置（液晶表示パネル３）にバッファデータを送信する（ステップＳｍ）。これにより、表示装置である液晶表示パネル３には、変換された絵画風変換画像における第１色の部分が表示されることとなる。
【００３５】
引き続き、決定した色の順序から、第２色を表示制御部１６が有する表示バッファに書き込む（ステップＳ７）。すると、表示制御部１６は、表示装置（液晶表示パネル３）にバッファデータを送信する（ステップＳｍ）。これにより、表示装置である液晶表示パネル３には、変換された絵画風変換画像における第１色部分に第２色の部分が加えられて表示されることとなる。さらに、決定した色の順序から、第３色以降を表示制御部１６が有する表示バッファに書き込んだ後、最終色を表示バッファに書き込んで（ステップＳｎ）処理を終了する。
【００３６】
これにより、第１色の部分から最終色の部分までが順次表示バッファに書き込まれて行くこととなる。また、表示制御部１６は、表示装置（液晶表示パネル３）にバッファデータを順次送信し（ステップＳｍ）、最終色の部分までの送信を完了することより、当該絵画風変換画像における表示処理を完了する。
【００３７】
すなわち、図４（Ａ）に示すように、変換された絵画風変換画像において、両側の樹木１０１、１０２の輪郭、中央部の円１０３、その下部の円柱１０４が同一色であり、当該色が第１色であったとする。すると、前記ステップＳ６での処理により、第１色を構成する樹木１０１、１０２の輪郭、円１０３、円柱１０４からなる画像である第１色画像Ｐ１が、表示バッファに書き込まれて液晶表示パネル３に表示される。
【００３８】
また、図４（Ｂ）に示すように、変換された絵画風変換画像において、両側の樹木１０１、１０２自体の色が同一色であり、当該色が第２色であったとする。すると、前記ステップＳ７での処理により、第１色画像Ｐ１に第２色を構成する樹木１０１、１０２自体の色が加えられた画像である第２色画像Ｐ２が、表示バッファに書き込まれて液晶表示パネル３に表示される。
【００３９】
また、図４（Ｃ）に示すように、変換された絵画風変換画像において、地面１０５が第３色であったとする。すると、前記ステップＳ７に続くステップでの処理により、第２色画像Ｐ２に地面１０５が加えられた画像である第３色画像Ｐ３が表示バッファに書き込まれて液晶表示パネル３に表示される。
【００４０】
また、図４（Ｄ）に示すように、変換された絵画風変換画像において、円１０３に配置された両眼１０６、１０６及び口１０７の色が同一色であり、当該色が最終色であったとする。すると、前記ステップＳｎでの処理により、第３色画像Ｐ３に両眼１０６、１０６及び口１０７の色が加えられた画像である最終色画像Ｐ４が、表示バッファに書き込まれて液晶表示パネル３に表示される。
【００４１】
このとき、各色画像Ｐ１、Ｐ２、Ｐ３、Ｐ４の表示切り替えは、一般的なスライドショー表示と同様の時間間隔で行う。したがって、ユーザは液晶表示パネル３上で、各色画像Ｐ１、Ｐ２、Ｐ３、Ｐ４のスライドショー表示を観賞することができ、これによりシルクスクリーン画や版画で絵画を制作する手順を知ることができたり、学習することが可能となる。
【００４２】
以上のように、実施の形態により開示される請求項１記載の発明によれば、撮影により取得された撮影画像を、絵画風画像に変換する画像変換手段と、前記画像変換手段により変換された絵画風画像から、同一色の領域で構成される色成分毎の画像を抽出する抽出手段と、前記抽出手段により抽出された色成分毎の画像を所定の順序で表示する表示手段とを備えることを特徴とする画像変換装置を提供することができる。
【００４３】
また、実施の形態により開示される請求項２記載の発明によれば、前記画像変換手段は、前記撮影画像をシルクスクリーン画又は版画を模した絵画風画像に変換することを特徴とする請求項１記載の画像変換装置を提供することができる。
【００４４】
また、実施の形態により開示される請求項３記載の発明によれば、特定の作家がシルクスクリーン画又は版画を制作する際の制作順序を示す情報を記憶した記憶手段を備え、前記表示手段は、前記記憶手段に記憶されている前記情報に基づく順序で、前記色成分毎の画像を表示することを特徴とする請求項１又は２記載の画像変換装置を提供することができる。
【００４５】
また、実施の形態により開示される請求項４記載の発明によれば、画像変換装置が有するコンピュータを、撮影により取得された撮影画像を、絵画風画像に変換する画像変換手段と、前記画像変換手段により変換された絵画風画像から、同一色の領域で構成される色成分毎の画像を抽出する抽出手段と、前記抽出手段により抽出された色成分毎の画像を所定の順序で表示する表示手段として機能させることを特徴とするプログラムを提供することができる。
【００４６】
また、実施の形態により開示される請求項５記載の発明によれば、撮影により取得された撮影画像を、絵画風画像に変換する画像変換ステップと、前記画像変換ステップで変換された絵画風画像から、同一色の領域で構成される色成分毎の画像を抽出する抽出ステップと、前記抽出ステップにより抽出された色成分毎の画像を所定の順序で表示する表示ステップとを含むことを特徴とする画像変換方法を提供することができる。
【００４７】
なお、本実施の形態においては、本発明を画像表示装置に適用した場合を示したが、画像表示装置に限らず、画像を表示可能な機器であればデジタルカメラや携帯電話等の他の機器に適用するようにしてもよい。
【符号の説明】
【００４８】
１    画像表示装置
３    液晶表示パネル
４    人感センサ
６    メモリカードスロット
８    撮像素子
１１    ＣＰＵ
１２    ＲＯＭ
１３    ＲＡＭ
１４    内部メモリ
１６    表示制御部
１７    キー入力部制御部
１８    メモリカードインターフェース
１９    撮像制御部
１００    顔認識エンジン
２００    絵画変換エンジン
【図１】
2012208748.tif 000003
【図２】
2012208748.tif 000004
【図３】
2012208748.tif 000005
【図４】
2012208748.tif 000006